(57)【要約】  空気調和機に設けられた操作パネル。操作パネルは、嵌入穴を形成する穴部が設けられたパネル本体と、嵌入穴に対応する位置に、人体の接触に起因して電荷容量が変化するガスケットが設けられた基板と、ガスケットを覆い、嵌入穴に嵌め込まれる樹脂製のボタンケースと、ボタンケースを覆うようにパネル本体の意匠面に取り付けられる保護シートと、を有する。
2018150574.tif 000002
【特許請求の範囲】
【請求項１】
空気調和機に設けられた操作パネルであって、
嵌入穴を形成する穴部が設けられたパネル本体と、
前記嵌入穴に対応する位置に、人体の接触に起因して電荷容量が変化するガスケットが設けられた基板と、
前記ガスケットを覆い、前記嵌入穴に嵌め込まれる樹脂製のボタンケースと、
前記ボタンケースを覆うように前記パネル本体の意匠面に取り付けられる保護シートと、を有する空気調和機の操作パネル。
【請求項２】
前記ボタンケースの意匠面は、前記保護シートに当接している請求項１に記載の空気調和機の操作パネル。
【請求項３】
前記ボタンケースは、
前記ガスケットの４つの側面を覆う側壁部と、
前記側壁部によって形成された２つの開口のうちの一方を塞ぐ意匠壁と、を有している請求項１又は２に記載の空気調和機の操作パネル。
【請求項４】
前記側壁部の少なくとも１つの側壁における前記意匠壁とは反対側の端部には、当該側壁とによって断面視Ｌ字形状をなす座部が設けられている請求項３に記載の空気調和機の操作パネル。
【請求項５】
前記座部は、前記パネル本体に対向する面に位置決めピンを有し、
前記穴部は、前記座部に対向する位置に、前記位置決めピンが嵌め込まれる位置決め穴が形成されたフランジ部を有する請求項４に記載の空気調和機の操作パネル。
【請求項６】
前記穴部は、前記座部に対向する面に位置決めピンが形成されたフランジ部を有し、
前記座部は、前記位置決めピンに対応する位置に切欠き部が形成されている請求項４に記載の空気調和機の操作パネル。
【請求項７】
前記座部は、前記側壁部の対向する２つの側壁における前記意匠壁とは反対側の端部に設けられており、
一方の前記座部は、前記パネル本体に対向する面にケース側位置決めピンを有し、
前記穴部は、
一方の前記座部に対向する位置に、前記ケース側位置決めピンが嵌め込まれる位置決め穴が形成された第１フランジ部と、
他方の前記座部に対向する面に本体側位置決めピンが形成された第２フランジ部と、を有し、
他方の前記座部は、前記本体側位置決めピンに対応する位置に切欠き部が形成されている請求項４に記載の空気調和機の操作パネル。
【請求項８】
前記ガスケットは、前記基板上に複数設けられており、
前記ボタンケースは、前記ガスケットと同数であり、各ボタンケースは、それぞれ、１つの前記ガスケットを覆うものである請求項１〜７の何れか一項に記載の空気調和機の操作パネル。
【請求項９】
前記ガスケットは、
耐熱性を有する発泡体からなるベース部材と、
導電性をもつフィルムであり、前記ベース部材を覆う被覆部材と、を備え、
前記ベース部材および被覆部材は、収縮性および復元性を有するものである請求項１〜８の何れか一項に記載の空気調和機の操作パネル。
【発明の詳細な説明】
【技術分野】
【０００１】
本発明は、空気調和機に設けられ、電荷容量の変化を検知する静電容量方式を採用した操作パネルに関する。
【背景技術】
【０００２】
従来から、空気調和機には、ユーザによる入力操作を受け付ける操作パネルを備えたものがあり、昨今では、静電容量方式の操作パネルが広く搭載されている。静電容量方式の操作パネルは、ユーザのタッチ操作に起因した電荷容量の変化を検知することで、ユーザによる入力操作を受け付ける。【０００３】
静電容量方式の操作パネルには、ユーザの接触によって電荷容量が変化するガスケットを備えたものがある。こうした操作パネルは、ユーザが、パネル本体に取り付けられた保護シートを介して基板上のガスケットにタッチすると、そのガスケットに割り当てられた入力操作を受け付けるようになっている。また、静電容量方式の操作パネルには、誘電率を向上させ、感度を上げるために、保護シートと電極との間に誘電体を挿入したものがある（例えば、特許文献１参照）。
【先行技術文献】
【特許文献】
【０００４】
【特許文献１】特開２０１１−１９２１５０号公報
【発明の概要】
【発明が解決しようとする課題】
【０００５】
しかしながら、特許文献１のような従来の操作パネルでは、保護シートをパネル本体に取り付ける際、作業者の手から発せられる静電気が基板に設けられた電極に侵入し、基板回路が破壊される可能性がある。さらに、特許文献１のような従来の操作パネルは、誘電体が基板と一体的に形成されるため、誘電体の取り付け工程は、基板の製造時に限定される。【０００６】
本発明は、上記のような課題を解決するためになされたものであり、基板の損傷を防ぐと共に製造上の制約を解消する空気調和機の操作パネルを提供することを目的とする。
【課題を解決するための手段】
【０００７】
本発明に係る空気調和機の操作パネルは、空気調和機に設けられた操作パネルであって、嵌入穴を形成する穴部が設けられたパネル本体と、嵌入穴に対応する位置に、人体の接触に起因して電荷容量が変化するガスケットが設けられた基板と、ガスケットを覆い、嵌入穴に嵌め込まれる樹脂製のボタンケースと、ボタンケースを覆うようにパネル本体の意匠面に取り付けられる保護シートと、を有するものである。
【発明の効果】
【０００８】
本発明によれば、ガスケットを覆う樹脂製ボタンケースを有することから、基板への静電気の侵入を抑制することができると共に、ボタンケースは、基板の製造工程後にも設けることができるため、基板の損傷を防ぐと共に製造上の制約を解消することができる。
【図面の簡単な説明】
【０００９】
【図１】本発明の実施の形態１に係る空調調和機の外観を示す斜視図である。
【図２】図１の操作パネルを示す分解斜視図である。
【図３】図２のガスケットを示す斜視図である。
【図４】図２の基板を示す斜視図である。
【図５】図４の操作パネルの機能的構成を示すブロック図である。
【図６】図２のパネル本体とボタンケースとを組み立てる様子を示す分解斜視図である。
【図７】図１の空気調和機の正面図である。
【図８】図７のＡ−Ａ線に沿った操作パネルの概略断面図である。
【発明を実施するための形態】
【００１０】
実施の形態１．
図１は、本発明の実施の形態１に係る空調調和機の外観を示す斜視図である。図１では、空気調和機１００として、床置き型のエアコンを例示している。図１では、空気調和機１００を基準として、前後方向をｘ軸方向とし、左右方向をｙ軸方向とし、高さ方向をｚ軸方向とする。以下の各図においても同様とする。
【００１１】
図１に示すように、空気調和機１００は、本体部１０と、意匠パネル２０と、操作パネル３０とを有している。空気調和機１００は、部屋等の空調対象空間に設けられ、空調対象空間の空気の温度、湿度、および清浄度などを調整するものである。空気調和機１００は、室内機と室外機とが別々に設けられた分離型の空調機における室内機であってもよく、室内機の機能と室外機の機能とを組み合わせた一体型の空調機であってもよい。空気調和機１００は、空調対象空間の空気と外気と入れ替える換気装置、空気中に浮遊する粉塵などを除去する空気清浄機、又は空調対象空間の空気を加湿する加湿器などであってもよい。
【００１２】
空気調和機１００が一体型の空調機である場合、本体部１０は、何れも図示しないが、圧縮機と熱源側熱交換器と減圧装置と負荷側熱交換器が冷媒配管によって接続された冷媒回路を筐体内に有している。圧縮機は、例えばインバータによって駆動され、冷媒を圧縮するものである。熱源側熱交換器および負荷側熱交換器は、例えばフィンアンドチューブ型熱交換器からなり、空気と冷媒とを熱交換させるものである。減圧装置は、例えば電子膨張弁からなり、冷媒を減圧するものである。この場合、本体部１０は、熱源側熱交換器に送風するファンおよび負荷側熱交換器に送風するファンのうちの少なくとも一つを有していてもよい。また、空気調和機１００が分離型の空調機である場合、本体部１０は、冷媒回路を構成する各種アクチュエータのうち、少なくとも、圧縮機および負荷側熱交換器と共に、負荷側熱交換器に送風するファンを有している。そして、本体部１０は、冷媒回路を構成する各種アクチュエータおよびファンの動作を制御する制御装置を有している。
【００１３】
意匠パネル２０は、本体部１０の前面側に開閉自在に取り付けられている。意匠パネル２０は、樹脂によって形成され、正面視において長方形状をなしている。操作パネル３０は、本体部１０の意匠面に設けられている。ここで、意匠面とは、空気調和機１００の正面側であり、ユーザから主に視認されるｘ軸正側の面のことである。空気調和機１００の各構成部材についても同様とする。操作パネル３０は、ユーザによる空気調和機１００の操作を受け付けて、操作内容に応じた処理を行うものである。
【００１４】
図２は、図１の操作パネルを示す分解斜視図である。図２に示すように、操作パネル３０は、パネル本体４０と、基板５０と、複数のガスケット６０と、複数のボタンケース７０と、保護シート８０と、を有している。パネル本体４０は、樹脂によって形成され、ボタンケース７０が嵌め込まれる複数の嵌入穴４１ａが設けられている。
【００１５】
ガスケット６０は、人体の接触に起因して電荷容量が変化するものである。ガスケット６０は、基板５０の正面側であって、パネル本体４０の嵌入穴４１ａに対応する位置に設けられている。ボタンケース７０は、プラスチックなどの樹脂製であり、ガスケット６０を覆うものである。
【００１６】
操作パネル３０は、ボタンケース７０を、ガスケット６０と同じ数だけ有している。操作パネル３０を組み立てた図１の状態において、各ガスケット６０は、それぞれ、ボタンケース７０に覆われた状態で、当該ガスケット６０に対応する嵌入穴４１ａに嵌め込まれている。例えば、ｚ軸正側から２番目に位置する２つのガスケット６０は、それぞれが個別のボタンケース７０によって覆われて、１つの嵌入穴４１ａに嵌め込まれる。
【００１７】
保護シート８０は、パネル本体４０およびボタンケース７０を保護するシール材であり、ボタンケース７０を覆うようにパネル本体４０の意匠面である本体意匠面４０ａに取り付けられるものである。ここで、操作パネル３０を組み立てた図１の状態では、パネル本体４０の本体意匠面４０ａと、ボタンケース７０の意匠面であるケース意匠面７２ａとが面一となるため、ケース意匠面７２ａは、保護シート８０のパネル本体４０側の面である裏面に当接している。
【００１８】
保護シート８０のｘ軸正側の面である表面には、図示はしていないが、各ガスケット６０に対応する位置に、操作の内容を示すボタンマークが付されている。ボタンマークは、文字、図形などの絵、又は文字と絵との組み合わせからなるものである。
【００１９】
図３は、図２のガスケットを示す斜視図である。図３に示すように、ガスケット６０は、耐熱性を有する発泡体からなるベース部材６０ａと、導電性をもつフィルムであり、ベース部材６０ａを覆う被覆部材６０ｂとにより構成されている。すなわち、ガスケット６０は、ベース部材６０ａの外皮を被覆部材６０ｂで覆った構成となっている。図３の例では、被覆部材６０ｂが、ベース部材６０ａのｙ軸方向に沿った４つの側面を覆っている。
【００２０】
ベース部材６０ａおよび被覆部材６０ｂは、柔軟性すなわち収縮性および復元性を有しているため、ガスケット６０は収縮可能となっており、かつ収縮した際に復元力をもつ。被覆部材６０ｂは、人体が接触すると電荷容量が変化するようになっている。すなわち、ユーザが指などによって保護シート８０のボタンマークに接触すると、当該ボタンマークに対応するガスケット６０の被覆部材６０ｂにおける電荷容量が変化する。
【００２１】
図４は、図２の基板を示す斜視図である。図５は、図４の操作パネルの機能的構成を示すブロック図である。本実施の形態において、ガスケット６０は、基板５０上に複数設けられている。そして、ボタンケース７０は、ガスケット６０と同数であり、各ボタンケース７０は、それぞれ、１つのガスケット６０を覆うようになっている。したがって、高さ方向における各ガスケット６０の間などに、他の構成部材を設置するスペースを確保することができる。
【００２２】
そこで、本実施の形態では、図４には示していないが、基板５０における上記スペースに、ＬＥＤを含んで構成された複数の発光部６１が設けられている。例えば、各発光部６１は、それぞれ、１つのガスケット６０の近傍に配置され、当該ガスケット６０に対応づけられている。なお、図５では、簡単のために１つのガスケット６０と１つの発光部６１とを例示している。
【００２３】
図５に示すように、基板５０には、ガスケット６０および発光部６１の他に、検知処理部５１と制御部５２とが設けられている。検知処理部５１は、各ガスケット６０の電荷容量の変化を検知する電極を含み、電極によって検知した電荷容量の変化を示す信号を制御部５２へ出力するものである。
【００２４】
制御部５２は、識別処理部５２ａと、発光処理部５２ｂと、空調処理部５２ｃとを有している。識別処理部５２ａは、検知処理部５１から送信される信号を解析し、電荷容量が変化したガスケット６０を識別するものである。また、識別処理部５２ａは、識別結果を発光処理部５２ｂおよび空調処理部５２ｃへ通知するものである。
【００２５】
発光処理部５２ｂは、識別処理部５２ａが識別したガスケット６０に対応づけられた発光部６１を発光させるものである。したがって、ユーザが、保護シート８０のガスケット６０に対応する位置にタッチすると、そのガスケット６０に対応づけられた発光部６１が発光する。すなわち、ユーザが保護シート８０のボタンマークにタッチすると、ボタンマークの位置が明るくなるため、ユーザはタッチ操作を行ったボタンマークを確認することができる。
【００２６】
空調処理部５２ｃは、識別処理部５２ａが識別したガスケット６０に応じた信号を本体部１０の制御装置に送信することにより、制御装置と連携して空気調和機１００の動作を制御するものである。もっとも、本体部１０に制御装置を設けず、空調処理部５２ｃが冷媒回路を構成する各種アクチュエータおよびファンの動作を直接的に制御するようにしてもよい。
【００２７】
図６は、図２のパネル本体とボタンケースとを組み立てる様子を示す分解斜視図である。図６では、意匠面とは反対側の面からパネル本体４０とボタンケース７０とをみており、概ね図２の領域Ｒの箇所を抽出している。なお、図６では、２つの嵌入穴４１ａにはボタンケース７０が嵌め込まれているが、１つの嵌入穴４１ａにはボタンケース７０が嵌め込まれていない状態である。
【００２８】
図６に示すように、パネル本体４０は、嵌入穴４１ａを形成する穴部４１を有している。穴部４１は、ｙ軸負側の側壁を構成するフランジ状の第１フランジ部４２と、ｙ軸正側の側壁を構成するフランジ状の第２フランジ部４３とを有している。
【００２９】
ボタンケース７０は、ガスケット６０の４つの側面を覆う側壁部７１と、側壁部７１によって形成された２つの開口のうちの一方を塞ぐ意匠壁７２とを有している。なお、意匠壁７２は、ケース意匠面７２ａを有している。ボタンケース７０は、側壁部７１と意匠壁７２とによって溝部７０ａを形成している。溝部７０ａにはガスケット６０が配設される。
【００３０】
ボタンケース７０は、側壁部７１のｙ軸負側の側壁における意匠壁７２とは反対側の端部に第１座部７３を有している。第１座部７３と側壁部７１のｙ軸負側の側壁とは、ｘｙ平面視においてＬ字形状をなしている。ボタンケース７０は、側壁部７１のｙ軸正側の側壁における意匠壁７２とは反対側の端部に第２座部７４を有している。第２座部７４と側壁部７１のｙ軸正側の側壁とは、ｘｙ平面視においてＬ字形状をなしている。
【００３１】
ここで、第１座部７３のパネル本体４０側の面は、ボタンケース７０を嵌入穴４１ａに嵌め込んだ際、第１フランジ部４２の裏面に当接する座面となる。また、第２座部７４のパネル本体４０側の面は、ボタンケース７０を嵌入穴４１ａに嵌め込んだ際、第２フランジ部４３の裏面に当接する座面となる。したがって、ボタンケース７０を嵌入穴４１ａに安定的に固定することができる。
【００３２】
さらに、パネル本体４０につき、第１フランジ部４２には、位置決め穴４２ａが形成されており、第２フランジ部４３には、位置決めピン４３ａが設けられている。また、ボタンケース７０につき、第１座部７３には、第１フランジ部４２の位置決め穴４２ａと対向する位置に、位置決めピン７３ａが形成されている。同様に、第２座部７４には、第２フランジ部４３の位置決めピン４３ａに対向する位置に、切欠き部７４ａが形成されている。すなわち、ボタンケース７０を嵌入穴４１ａに嵌め込むと、位置決めピン７３ａが位置決め穴４２ａに嵌り込むと共に、位置決めピン４３ａの嵌入穴４１ａ側の面が切欠き部７４ａに当接する。したがって、ボタンケース７０を嵌入穴４１ａに、より安定的に固定することができる。
【００３３】
図７は、図１の空気調和機の正面図である。そして、図８は、図７のＡ−Ａ線に沿った操作パネルの概略断面図である。図８に示すように、ボタンケース７０を嵌入穴４１ａに嵌め込むと共に、基板５０に設けられたガスケット６０をボタンケース７０の溝部７０ａに嵌め込み、パネル本体４０に基板５０を固定する。すると、位置決めピン７３ａが位置決め穴４２ａに嵌り込むと共に、位置決めピン４３ａの嵌入穴４１ａ側の面が切欠き部７４ａに当接する。
【００３４】
ここで、ガスケット６０は、ボタンケース７０の溝部７０ａよりも若干大きく形成されている。そして、ガスケット６０は、収縮性および復元性を有するため、溝部７０ａに嵌め込む際、収縮した後、復元力によって溝部７０ａに密着する。すなわち、図８に示すように、ガスケット６０の表面とボタンケース７０の内面との間には隙間が生じない。したがって、ガスケット６０の電荷容量の変化が精度よく伝達されることから、操作パネル３０の感度を高めることができるため、操作性の向上を図ることができる。
【００３５】
以上のように、操作パネル３０は、ガスケット６０を覆う樹脂製のボタンケース７０を有することから、保護シート８０をパネル本体４０に取り付ける際などにおいて、作業者の手から発せられる静電気の基板５０への侵入を抑制することができる。また、ボタンケース７０は、基板５０の製造工程後にも設けることができる。よって、操作パネル３０によれば、基板５０の損傷を防ぐと共に製造上の制約を解消することができる。
【００３６】
ところで、従来の操作パネルでは、保護シートとガスケットとの間に隙間が存在し、この隙間は誤動作の原因となっている。この点、操作パネル３０は、保護シート８０とガスケット６０との間にボタンケース７０が介在していることから、保護シート８０とガスケット６０との間の隙間を狭めることができるため、誤動作を抑制することができる。また、本実施の形態のように、操作パネル３０が、ボタンケース７０が保護シート８０に当接するように構成すれば、保護シート８０とガスケット６０との間の隙間をなくすことができるため、誤動作を精度よく防ぐことができる。
【００３７】
また、ボタンケース７０は、ガスケット６０の４つの側面を覆う側壁部７１と、側壁部７１によって形成された２つの開口のうちの一方を塞ぐ意匠壁７２と、を有している。そのため、基板５０への静電気の侵入を精度よく防ぐことができる。なお、側壁部７１は、例えば、ガスケット６０の４つの側面のうちの２つ又は３つの側面を覆うように形成してもよい。ただし、４つの側面を覆うように構成した方が、基板５０への静電気の侵入をより確実に防ぐことができ、かつ、ボタンケース７０を穴部４１に安定的に嵌め込むことができる。
【００３８】
上述した実施の形態は、空気調和機の操作パネルにおける好適な具体例であり、本発明の技術的範囲は、これらの態様に限定されるものではない。例えば、図２では、意匠パネル２０とパネル本体４０とが樹脂によって一体的に形成されている場合を例示しているが、これに限らず、パネル本体４０は、本体部１０の筐体と一体的に形成されていてもよく、意匠パネル２０又は本体部１０とは別体で形成されていてもよい。
【００３９】
さらに、基板５０における各ガスケット６０の間などのスペースには、空気調和機１００の操作用のリモートコントローラ（図示せず）から送信される信号を受信し、受信した信号を制御装置へ送信するリモコン受光部を設けるようにしてもよい。また、基板５０における各ガスケット６０の間などのスペースには、スピーカを含んで構成されたブザー等からなる報知部を設けるようにしてもよい。そして、制御部５２は、検知処理部５１がガスケット６０の電荷容量の変化を検知したとき、ビープ音などの音を報知部に報知させる報知処理部を有していてもよい。このようにすれば、ユーザが保護シート８０のボタンマークにタッチしたとき、入力操作が受けつけられたことをユーザに認識させることができる。
【００４０】
すなわち、複数のボタンケース７０は、分離して構成されており、それぞれ、１つのガスケット６０を覆うものである。したがって、基板５０における各ガスケット６０の間などのスペースに、発光部、リモコン受光部、および報知部などを配設することができるため、スペースの有効利用により、操作パネル３０の小型化を図ることができる。もっとも、上記実施の形態では、操作パネル３０が発光部６１および発光処理部５２ｂを有する場合を例示したが、これに限らず、操作パネル３０は、発光部６１および発光処理部５２ｂを有していなくてもよい。
【００４１】
ここで、図６では、側壁部７１の２つの側壁の意匠壁とは反対側の端部に、当該側壁とによって断面視Ｌ字形状をなす座部が設けられている場合を例示したが、これに限定されるものではない。座部は、側壁部７１の１つの側壁に設けられていてもよいし、パネル本体４０の形状に応じて、側壁部７１の３つ又は４つの側壁に設けられていてもよい。すなわち、ボタンケース７０は、側壁部７１の少なくとも１つの側壁における意匠壁７２とは反対側の端部に、当該側壁とにより断面視Ｌ字形状をなす座部が設けられていてもよい。このようにしても、ボタンケース７０を嵌入穴４１ａに嵌め込んだ際の安定性を高めることができる。
【００４２】
上記実施の形態では、側壁部７１の対向する２つの側壁の意匠壁７２とは反対側の端部に、それぞれ、第１座部７３と第２座部７４とが設けられた場合を例示している。そして、一方の座部である第１座部７３は、パネル本体４０に対向する面にケース側位置決めピンである位置決めピン７３ａを有している。また、穴部４１は、第１座部７３に対向する位置に、位置決めピン７３ａが嵌め込まれる位置決め穴４２ａが形成された第１フランジ部４２と、他方の座部である第２座部７４に対向する面に、本体側位置決めピンである位置決めピン４３ａが形成された第２フランジ部４３とを有している。加えて、第２座部７４は、位置決めピン４３ａに対応する位置に切欠き部７４ａが形成されている。ただし、位置決めピン、位置決め穴、および切り欠き部の組み合わせ等は、これに限定されるものではない。
【００４３】
例えば、ボタンケース７０が１つの座部を備えている場合、当該座部が位置決めピンを有するようにし、当該座部に対向する位置に位置決め穴が形成されたフランジ部を穴部４１が有するようにしてもよい。一方、ボタンケース７０が複数の座部を備えている場合、全ての座部が位置決めピンを有するようにしてもよい。そして、穴部４１は、各座部のそれぞれに対向するフランジ部を有するようにし、全てのフランジ部に位置決め穴が形成されるようにするとよい。このようにしても、ボタンケース７０を嵌入穴４１ａに嵌め込んだ際の安定性を高めることができる。
【００４４】
また、ボタンケース７０が１つの座部を備えている場合、当該座部に対向する面に位置決めピンを備えたフランジ部を穴部４１が有するようにし、当該座部には、位置決めピンに対応する位置に切欠き部が形成されていてもよい。一方、ボタンケース７０が複数の座部を備えている場合、穴部４１は、各座部のそれぞれに対向するフランジ部を有するようにし、全てのフランジ部に位置決めピンが形成されるようにしてもよい。そして、全ての座部に切欠き部が形成されるようにするとよい。このようにしても、ボタンケース７０を嵌入穴４１ａに嵌め込んだ際の安定性を高めることができる。
【００４５】
図１では、空気調和機１００として、床置き型のエアコンを例示したが、これに限らず、空気調和機１００は、壁掛け型のエアコン又は壁埋め込み型のエアコンであってもよい。また、図２および図４では、基板５０上に複数のガスケット６０が設けられた場合を例示しているが、これに限らず、ガスケット６０は、基板５０上に１つだけ設けられていてもよい。
【００４６】
さらに、操作パネル３０の製造工程においては、パネル本体４０にボタンケース７０を配置した後、ガスケット６０が設けられた基板５０をパネル本体４０に設置するようにしてもよいし、基板５０上のガスケット６０にボタンケース７０を取り付けた後、基板５０をパネル本体４０に設置するようにしてもよい。
【符号の説明】
【００４７】
１０  本体部、２０  意匠パネル、３０  操作パネル、４０  パネル本体、４０ａ  本体意匠面、４１  穴部、４１ａ  嵌入穴、４２  第１フランジ部、４２ａ  位置決め穴、４３  第２フランジ部、４３ａ  位置決めピン、５０  基板、５１  検知処理部、５２  制御部、５２ａ  識別処理部、５２ｂ  発光処理部、５２ｃ  空調処理部、６０  ガスケット、６０ａ  ベース部材、６０ｂ  被覆部材、６１  発光部、７０  ボタンケース、７０ａ  溝部、７１  側壁部、７２  意匠壁、７２ａ  ケース意匠面、７３  第１座部、７３ａ  位置決めピン、７４  第２座部、７４ａ  切欠き部、８０  保護シート、１００  空気調和機。
【図１】
2018150574.tif 000003
【図２】
2018150574.tif 000004
【図３】
2018150574.tif 000005
【図４】
2018150574.tif 000006
【図５】
2018150574.tif 000007
【図６】
2018150574.tif 000008
【図７】
2018150574.tif 000009
【図８】
2018150574.tif 000010
【国際調査報告】
2018150574.tif 000011
2018150574.tif 000012
2018150574.tif 000013
2018150574.tif 000014